(57)【要約】【課題】  設置方法を複数選択可能なシールドケースを提供する。【解決手段】  ＨＤＭＩ基板５を包囲するシールドケース３を、２つの開口部を同じ形状とする枠体６と、枠体６の対面する開口部に着脱自在に形成する蓋体７及び８によって構成することにより、ＨＤＭＩ基板５及び枠体６を、上下反転させ、ＨＤＭＩ基板５に備える音声入力端子（右）５ｂと音声入力端子（左）５ｃを左右逆にすることができる。また、枠体６に開口部６ｂを設け、そこから臨むようにコネクタ５ｄを配置することにより、シールドケース３を垂直に設置することもできる。すなわち、１つの構成で３通りの設置方法を採ることが可能となる。【選択図】      図２
2007005469.tif 000002
【特許請求の範囲】
【請求項１】
シールドケースで覆われた電子部品と、この電子部品を実装する回路基板とを備え、前記シールドケースは、対向する二面に開口部を有する枠体と、この枠体にそれぞれ着脱自在に嵌合して前記開口部を閉塞する一対の蓋体とで構成され、前記回路基板に対して水平に実装する際、その蓋体は、前記電子部品を水平に固定するための取付脚を有して前記枠体の下面を覆うとともに、枠体が上下反転自在に嵌合される第１の蓋体と、この第１の蓋体と対向して前記枠体の上面を覆うほぼ平板状の第２の蓋体とから成り、一方、前記回路基板に対して前記電子部品を垂直に実装する際、前記枠体の両側部を前記第２の蓋体でそれぞれ覆うことによって前記電子部品が前記回路基板に対して水平及び垂直に実装可能であるとともに、水平時において反転可能に実装可能に構成したことを特徴とする電子機器。
【請求項２】
前記シールドケースの内部に入力及び／又は出力回路用基板を収納して前記電子部品を構成し、前記入力及び／又は出力回路用基板に外部接続端子を電気的に接続して前記シールドケースから外部に突出させるとともに、前記電子部品を前記回路基板に対して水平、垂直及び水平時において反転可能とすることによって前記外部接続端子の外部導出位置を選択に変更可能としたことを特徴とする請求項１に記載の電子機器。
【請求項３】
前記電子部品を前記回路基板に対して水平に実装する際、前記回路基板に第１のコネクタを備え、前記入力及び／又は出力回路用基板にはケーブル付の第２のコネクタを備え、これら第１及び第２のコネクタによって前記入力及び／又は出力回路用基板と前記回路基板とを電気的に接続するように構成したことを特徴とする請求項２に記載の電子機器。
【請求項４】
前記電子部品を前記回路基板に対して垂直に実装する際、前記回路基板には第１のコネクタを備え、前記入力及び／又は出力回路用基板には前記枠体の下形成される開口部から臨む第２のコネクタを備え、これらコネクタを接続して前記入力及び／又は出力回路用基板と前記回路基板とを電気的に接続するように構成したことを特徴とする請求項２に記載の電子機器。
【発明の詳細な説明】
【技術分野】
【０００１】
本発明は、回路基板への複数の取り付け方法による設置が可能な、シールドケースに覆われた電子部品を備える電子機器に関する。
【背景技術】
【０００２】
従来、電子機器は様々な部品から生じる電磁波などの影響を緩衝するために、特定の機能を持った回路基板をシールドケースで覆う方法が開示されている。
【０００３】
例えば、特許文献１では、第１の回路基板の周囲を包囲する枠体と、該枠体に係合して枠体の開口部を閉塞する蓋体により形成するシールドケースにおいて、枠体に開口部を設け、該開口部から臨み、且つ第１の回路基板と電気的に接続する第１のコネクタを設置し、電子機器内の第２の回路基板上に、前記コネクタと対になる第２のコネクタに嵌合して固定することにより、第１の回路基板と第２の回路基板を電気的に接続し、且つ第２の回路基板に第１の回路基板、すなわちシールドケースを固定する方法が開示されている。
【０００４】
また、特許文献２でも同様に、回路基板を支持する支持部を備える枠体に、回路基板を嵌合し、枠体の開口部を蓋体により閉塞するシールドケースが開示されている。
【０００５】
【特許文献１】特開平８−１４８８７５号公報
【特許文献２】特開２００５−１０８８８１号公報
【発明の開示】
【発明が解決しようとする課題】
【０００６】
しかし、前述のシールドケースでは、シールドケースの形状や設置方法を電子機器の外観や内部の構造、基板のパターン等を考慮しなければならず、複数の異なる電子機器において共通の部品として形成するのは困難であった。
【０００７】
本発明は上記課題を鑑みてなされたものであり、多数の電子機器において共通の部品として利用することができる、複数の設置形態を採ることが可能な電子機器を提供することを目的とする。
【課題を解決するための手段】
【０００８】
請求項１に係る電子機器は、シールドケースで覆われた電子部品と、この電子部品を実装する回路基板とを備え、前記シールドケースは、対向する二面に開口部を有する枠体と、この枠体にそれぞれ着脱自在に嵌合して前記開口部を閉塞する一対の蓋体とで構成され、前記回路基板に対して水平に実装する際、その蓋体は、前記電子部品を水平に固定するための取付脚を有して前記枠体の下面を覆うとともに、枠体が上下反転自在に嵌合される第１の蓋体と、この第１の蓋体と対向して前記枠体の上面を覆うほぼ平板状の第２の蓋体とから成り、一方、前記回路基板に対して前記電子部品を垂直に実装する際、前記枠体の両側部を前記第２の蓋体でそれぞれ覆うことによって前記電子部品が前記回路基板に対して水平及び垂直に実装可能であるとともに、水平時において反転可能に実装可能に構成したことを特徴とする。
【０００９】
請求項１の構成によれば、シールドケースは、枠体の回路基板側の面（以下、下方と呼ぶ）を、脚部を有する第１の蓋体により覆い、この脚部付蓋体の対面を、平板状の第２の蓋体により覆うことで、脚部を回路基板若しくは電子機器のシャーシなどに固定することで、回路基板に対して水平に設置することが可能である。更に、枠体は第１の蓋体に対して上下反転自在に嵌合し、固定することができる。また、前記開口部の双方を平板状である第２の蓋体により覆い、略直方体状のシールドケースとし、回路基板に対して垂直に実装することが可能となる。すなわち、電子機器に実装されるシールドケースは、水平にも垂直にも実装可能であり、水平に実装する場合は、その上下を反転することが可能である。
【００１０】
請求項２に係る電子機器は、請求項１に記載の電子部品において、前記シールドケースの内部に入力及び／又は出力回路用基板を収納して前記電子部品を構成し、前記入力及び／又は出力回路用基板に外部接続端子を電気的に接続して前記シールドケースから外部に突出させるとともに、前記電子部品を前記回路基板に対して水平、垂直及び水平時において反転可能とすることによって前記外部接続端子の外部導出位置を選択に変更可能としたことを特徴とする。
【００１１】
請求項２の構成によれば、シールドケースを回路基板に対して水平若しくは垂直に実装することでシールドケースから突出する外部接続端子の外部導出位置の変更可能であり、更に水平に実装する場合は、シールドケースの上下を反転させて実装することができる。つまり、外部接続端子のレイアウトを３種類から選択することが可能となる。
【００１２】
請求項３に係る電子機器は、請求項２に記載の電子機器において、前記電子部品を前記回路基板に対して水平に実装する際、前記回路基板に第１のコネクタを備え、前記入力及び／又は出力回路用基板にはケーブル付の第２のコネクタを備え、これら第１及び第２のコネクタによって前記入力及び／又は出力回路用基板と前記回路基板とを電気的に接続するように構成したことを特徴とする。
【００１３】
請求項３の構成によれば、シールドケースと、このシールドケース内に収納した入力及び／又は出力回路用基板とを回路基板に水平に実装する場合、回路基板に第１のコネクタを接続し、入力及び／又は出力回路用基板に第１のコネクタに対応するケーブル付の第２のコネクタを接続し、双方を嵌合させることで入力及び／又は出力回路用基板と回路基板とが電気的に接続される。
【００１４】
請求項４に係る電子機器は、請求項２に記載の電子機器おいて、前記電子部品を前記回路基板に対して垂直に実装する際、前記回路基板には第１のコネクタを備え、前記入力及び／又は出力回路用基板には前記枠体の下形成される開口部から臨む第２のコネクタを備え、これらコネクタを接続して前記入力及び／又は出力回路用基板と前記回路基板とを電気的に接続するように構成したことを特徴とする。
【００１５】
請求項４の構成によれば、シールドケースと、このシールドケース内に収納した入力及び／又は出力回路用基板とを回路基板に対して垂直に実装する場合、回路基板に第１のコネクタを接続し、シールドケースを構成する枠体の下方に形成した開口部から第２のコネクタが臨むように、入力及び／又は出力回路用基板に第２のコネクタを接続し、両コネクタを嵌合させることにより、入力及び／又は出力回路用基板と回路基板とが電気的に接続される。
【発明の効果】
【００１６】
請求項１に係る電子機器は、シールドケースで覆われた電子部品と、この電子部品を実装する回路基板とを備え、前記シールドケースは、対向する二面に開口部を有する枠体と、この枠体にそれぞれ着脱自在に嵌合して前記開口部を閉塞する一対の蓋体とで構成され、前記回路基板に対して水平に実装する際、その蓋体は、前記電子部品を水平に固定するための取付脚を有して前記枠体の下面を覆うとともに、枠体が上下反転自在に嵌合される第１の蓋体と、この第１の蓋体と対向して前記枠体の上面を覆うほぼ平板状の第２の蓋体とから成り、一方、前記回路基板に対して前記電子部品を垂直に実装する際、前記枠体の両側部を前記第２の蓋体でそれぞれ覆うことによって前記電子部品が前記回路基板に対して水平及び垂直に実装可能であるとともに、水平時において反転可能に実装可能に構成したものであり、シールドケースに覆われた電子部品を設置する際、３通りの設置方法が可能となり、電子部品のレイアウトを変えることができため、電子部品の設置方法が異なる場合でも、１種類のシールドケースの構成部材で対応が可能となり、新たに専用のシールドケースを形成する必要がなく、製造コストを削減することができる。
【００１７】
請求項２に係る電子機器は、請求項１に記載の電子機器において、前記シールドケースの内部に入力及び／又は出力回路用基板を収納して前記電子部品を構成し、前記入力及び／又は出力回路用基板に外部接続端子を電気的に接続して前記シールドケースから外部に突出させるとともに、前記電子部品を前記回路基板に対して水平、垂直及び水平時において反転可能とすることによって前記外部接続端子の外部導出位置を選択に変更可能としたものであり、入力及び／又は出力回路用基板の外部接続端子の並び方を水平方向で２通りと垂直方向で１通りの計３通りから択一的に選択することができる。
【００１８】
請求項３に係る電子機器は、請求項２に記載の電子機器において、前記電子部品を前記回路基板に対して水平に実装する際、前記回路基板に第１のコネクタを備え、前記入力及び／又は出力回路用基板にはケーブル付の第２のコネクタを備え、これら第１及び第２のコネクタによって前記入力及び／又は出力回路用基板と前記回路基板とを電気的に接続するように構成したことものであり、例えばシールドケースを回路基板に対して水平に実装する場合、脚部付の第１の蓋体により、回路基板からシールドケースが浮き上がり、回路基板に実装した電子部品とシールドケースの干渉を防止することができるとともに、回路基板とシールドケース内に実装した入力及び／又は出力回路用基板との距離が離れてしまうが、ケーブル付の第２のコネクタを使用することで、回路基板と入力及び／又は出力回路用基板との電気的接続を容易に行うことができる。
【００１９】
請求項４に係る電子機器は、請求項２に記載の電子機器において、前記電子部品を前記回路基板に対して垂直に実装する際、前記回路基板には第１のコネクタを備え、前記入力及び／又は出力回路用基板には前記枠体の下形成される開口部から臨む第２のコネクタを備え、これらコネクタを接続して前記入力及び／又は出力回路用基板と前記回路基板とを電気的に接続するように構成したものであり、シールドケースを垂直に実装する場合、第１のコネクタと第２のコネクタを嵌合させることにより、回路基板にシールドケースを固定する固定することができ、同時にシールドケース内部の入力及び／又は出力回路用基板と回路基板とを電気的に接続することができる。
【発明を実施するための最良の形態】
【００２０】
以下、本発明を実施するための最良の形態としての実施例を図１から図１０を参照して説明する。もちろん、本発明は、その発明の趣旨に反さない範囲で、実施例において説明した以外のものに対しても容易に適用可能なことは説明を要するまでもない。
【００２１】
図１〜図１１は、本発明の実施例を示し、図１は、本実施例における電子機器を示す斜視図である。図２は電子機器が備えるシールドケースを示す斜視図であり、図３はシールドケースに収納した電子部品である入力及び／又は出力回路用基板としてのＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）基板を示す斜視図であり、図４はＨＤＭＩ基板を囲う枠体を示す斜視図であり、図５は枠体の対面する開口部を閉塞するための蓋体を示す斜視図である。図６は、取り付け用の脚部を備えた蓋体を示す斜視図である。図７は枠体に固定するＨＤＭＩ基板からケーブル付コネクタを接続した状態を示す斜視図である。図８は、枠体に固定するＨＤＭＩ基板からシールドケースを垂直に設置するためのコネクタを接続した状態を示す斜視図である。図９は枠体の正面図であり、（ａ）は枠体を上下反転する前の状態を示し、（ｂ）は上下反転した後の状態を示している。図１０は、シールドケースを回路基板に対して垂直に設置する前の状態を示す斜視図であり、図１１は、シールドケースを回路基板に対して垂直に設置した状態を示す斜視図である。
【００２２】
本実施例における電子機器の構成を、図１に基づいて説明する。図１は、電子機器の背面を示す部分拡大斜視図である。１は、背面に外部接続端子を有する電子機器であり、２は電子機器１の内部に備える回路基板である。３はシールドケースであり、４はシールドケース３の内部に収納した後述するＨＤＭＩ基板と回路基板２を電気的に接続する第２のコネクタであるケーブル付コネクタである。
【００２３】
次に図２から６に基づいてシールドケース３の構成を説明する。図２はシールドケース３を示す分解斜視図である。５はシールドケース３の内部に収納した電子部品である入力及び／又は出力回路用基板としてのＨＤＭＩ基板である。６はシールドケース３の構成部品の１つである枠体であり、７は枠体６の対面する開口部の一方を閉塞する第２の蓋体である蓋体であり、８は同じく枠体６の他方の開口部を閉塞する第１の蓋体である脚部付蓋体である。蓋体７及び脚部付蓋体８は、それぞれが備える爪により枠体６に弾性的に嵌合する。図３はＨＤＭＩ基板５を示す斜視図である。ＨＤＭＩ基板５はデジタル映像／音声信号を入力するためのＨＤＭＩインターフェイス端子５ａと、音声入力端子（右）５ｂと、音声入力端子（左）５ｃと、回路基板２との電気的接続に使用するコネクタ５ｄを備えている。図４は枠体６を示す斜視図である。６ａはＨＤＭＩインターフェイス５ａ、音声入力端子（右）５ｂ、音声入力端子（左）５ｃをそれぞれ枠体６から外部に臨ませるための開口部であり、６ｂはコネクタ５ｄを外部に臨ませるための開口部である。図５は蓋体７を示す斜視図であり、図６は脚部付蓋体８を示す斜視図である。双方の蓋体は、枠体６に形成される２つの開口部を選ばずに着脱可能に形成されている。また、８ａはシールドケース３を取り付けるための脚部である。図７は、シールドケース３にケーブル付コネクタ４を取り付け形態を示す、蓋体７を取り外した状態である斜視図である。
【００２４】
以上のように、本実施例におけるシールドケース３は、ＨＤＭＩ基板５とその外周を囲う枠体６と、枠体６の対面する開口部を閉塞する蓋体７及び脚部付蓋体８により構成され、ＨＤＭＩ基板５は図示しないビスなどの固定手段により、枠体６に固定され、ＨＤＭＩ基板５に備えるＨＤＭＩインターフェイス５ａ、音声入力端子（右）５ｂ、音声入力端子（左）５ｃは、枠体６の１つの面に形成された開口部６ａから外部に臨むように嵌合される。また、脚部付蓋体８に、脚部８ａを形成し、この脚部８ａを、回路基板２あるいは電子機器１のシャーシなどに固定する。シールドケース３と回路基板２に距離が開くが、ケーブル付コネクタ４を開口部６ａを通してＨＤＭＩ基板５に備えるコネクタ５ｄに取り付けることにより、シールドケース３内部のＨＤＭＩ基板５と回路基板２の電気的接続を行うことができる。すなわち、脚部８ａによって、シールドケース３を回路基板２と直接触れることなく設置することができるので、回路基板２上にシールドケース３の設置するスペースを形成する必要がなく、回路基板２にシールドケース３が接触する面積を抑制することができ、回路基板２のパターンのレイアウトの制約を少なくすることができる。
【００２５】
また、音声入力端子（右）５ｂ及び音声入力端子（左）５ｃは、種々の電子機器において、図２に示す状態と左右逆の配列にしたほうが好ましい場合がある。例えば、スピーカを備えるテレビジョン受像機などの電子機器の背面において、図９（ａ）に示すように音声入力端子を配置する場合、電子機器が備えるスピーカの位置に対応して、音声入力端子（右）５ｂが電子機器背面から見て左側に、音声入力端子（左）５ｃは右側に配置するのが適当であるが、図９（ａ）に示す配列のまま電子機器前面にＨＤＭＩ基板５を配置する場合、スピーカと音声入力端子の配置に整合性が取れなくなる。このとき、２つの蓋体７、８は、双方が枠体６の対面する開口部を問わず反転して着脱自在であるため、枠体６の上下を反転することで、図９（ｂ）に示すように、音声入力端子（右）５ｂと音声入力端子（左）５ｃの配置を逆にすることができる。すなわち、新たに部品を形成することなく、脚部付蓋体８に対して枠体６の上下の向きを選択することで音声入力端子（右）５ｂと音声入力端子（左）５ｃの位置を簡単に変えることができる。
【００２６】
さらに、シールドケース３を回路基板２と平行に設置する以外、シールドケース３を回路基板２に対して垂直に設置することも可能である。この場合、図８、図１０、図１１に示すように、枠体６に、開口部６ｂから臨むように、ＨＤＭＩ基板５にコネクタ５ｅを配置する。また、シールドケース３を回路基板２に対して水平に設置する場合、枠体６の対面する開口部を閉塞する蓋体の一方を脚部付蓋体８としたが、シールドケース３を垂直に設置する場合、脚部は不要となるので、脚部の無い蓋体７を、両開口部を閉塞するために使用する。続いて、図１０に示すように、回路基板２に、前記コネクタ５ｅに対応するコネクタ２ａを配置し、シールドケース３に備えたコネクタ５ｅを回路基板２に配置したコネクタ２ａに嵌合させることにより、図１１に示すようにシールドケース３を回路基板に対して垂直に設置する。以上により、シールドケース３内部のＨＤＭＩ基板５と回路基板２を電気的に接続すると共に、コネクタ５ｅ及びコネクタ２ａの嵌合により、シールドケース３固定を行うことができる。本実施例の構造により、シールドケース３は、蓋体を変更することにより、回路基板２に対して水平に２通り、垂直に１通り、合計３通りの設置方法を採ることができるので、端子の配置を柔軟に変更することができる。すなわち、同一の接続端子を複数の箇所に設置する必要がある電子機器の製造において、全ての箇所において共通のシールドケースとして使用することができ、製造にかかるコストを低減させることができる。
【００２７】
以上、本発明の実施例を詳述したが、本発明は前記実施例に限定されるものではなく、本発明の要旨の範囲内で種々の変形実施が可能である。例えば、電子部品をＨＤＭＩ基板としたが、これに限定するものではなく、他の入力端子又は出力端子を備える、若しくは入力端子及び出力端子の双方を備える回路基板等に適用することができる。
【図面の簡単な説明】
【００２８】
【図１】実施例１における、電子機器の背面側から見た状態を示す部分拡大斜視図である。
【図２】同上、シールドケースの分解斜視図である。
【図３】同上、シールドケース内部に備えるＨＤＭＩ基板を示す斜視図である。
【図４】同上、シールドケースを構成する枠体を示す斜視図である。
【図５】同上、シールドケースを構成する蓋体を示す斜視図である。
【図６】同上、シールドケースを構成する脚部付蓋体を示す斜視図である。
【図７】同上、ＨＤＭＩ基板にケーブル付コネクタを取り付けた状態を示す斜視図である。
【図８】同上、ＨＤＭＩ基板のコネクタの形状を示す斜視図である。
【図９】同上、ＨＤＭＩ基板を固定する枠体を上下反転する前後を示す説明図である。
【図１０】同上、シールドケースを回路基板に取り付ける前の状態を示す斜視図である。
【図１１】同上、シールドケースを回路基板に取り付けた後の状態を示す斜視図である。
【符号の説明】
【００２９】
１    電子機器
２    回路基板
２ａ  コネクタ（第１のコネクタ）
３    シールドケース
４    ケーブル付コネクタ（第２のコネクタ）
５    ＨＤＭＩ基板（電子部品）
５ｅ  コネクタ（第２のコネクタ）
６    枠体
６ｂ  開口部
７    蓋体（第２の蓋体）
８    脚部付蓋体（第１の蓋体）
８ａ  脚部
【図１】
2007005469.tif 000003
【図２】
2007005469.tif 000004
【図３】
2007005469.tif 000005
【図４】
2007005469.tif 000006
【図５】
2007005469.tif 000007
【図６】
2007005469.tif 000008
【図７】
2007005469.tif 000009
【図８】
2007005469.tif 000010
【図９】
2007005469.tif 000011
【図１０】
2007005469.tif 000012
【図１１】
2007005469.tif 000013